Podtech/llm-jp-corpus-v4-ja_patent huggingface dataset:
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
ジャケット中に複数のコードを有するエレベータベルトアッセンブリの製造方法であって、
（ａ）  複数のコードを選択された配置に整列させる工程と、
（ｂ）  選択されたジャケット材料をコードに付加して、エレベータ装置内の滑車との接触に適合した略平滑であり途切れのない表面をジャケット外面に有するジャケット中にコードを包埋する工程と、
（ｃ）  ジャケット中にコードを包埋した後に、追加の寸法制御を与えるようにジャケットの表面に表面処理を行い、
（ｄ）  表面処理を行った後に、ジャケットおよびコードの硬化させ、
（ｅ）  コードにかけられた張力が、ジャケット中のコードの位置を制御し、かつ、コードが、ベルトアッセンブリの長さに亘って略平滑であり途切れのない、ジャケット上の表面から、均一な間隔になるように、ジャケット付加中にコードそれぞれには選択された張力を保持する工程と、
を含むことを特徴とする、エレベータベルトアッセンブリの製造方法。
【請求項２】
異なるコードのそれぞれに異なる張力を保持することを含むことを特徴とする請求項１記載の方法。
【請求項３】
工程（ａ）から（ｅ）までを実施してベルトアッセンブリのサンプルを製造し、
ベルトアッセンブリのサンプルを検査し、
ベルトアッセンブリのサンプルの形状が所望の形状と一致するかどうかを判定し、
形状が所望の形状と一致しないと判定されたならば、少なくとも１つのコードに保持される張力を調整する、
ことを含むことを特徴とする請求項１記載の方法。
【請求項４】
ベルトのサンプルの形状が所望の形状と一致するまで、請求項３の各工程を反復することを含むことを特徴とする請求項３記載の方法。
【請求項５】
ジャケット材料が、ワックスを含まないウレタンから成ることを特徴とする請求項１記載の方法。
【請求項６】
工程（Ｂ）は、成型装置を用いることを含み、かつ、付加されたジャケットとコードとが成型装置を出る際にジャケット材料または成型装置のうち少なくとも１つを冷却することを含むことを特徴とする請求項５記載の方法。
【請求項７】
ジャケット材料または成型装置に流体を施すことを含むことを特徴とする請求項６記載の方法。
【請求項８】
成型装置を用いることを含み、この成型装置は、ベルトアッセンブリを通過進行させる開口部を有し、この開口部は、非直線状の形状を有し、それによって、開口部を出るジャケットの厚さが、ジャケットの幅に亘って変動することを特徴とする請求項１記載の方法。
【請求項９】
表面処理を行う工程は、ジャケット外面が所望の形状を確実に有するようにする形付け装置にジャケットを強制的に導入することによってジャケット外面を仕上げることを含むことを特徴とする請求項１記載の方法。
【請求項１０】
ベルトの長手軸に略平行に整列した複数のコードと、
コードを覆うジャケットと、
を備えるエレベータベルトアッセンブリであって、該ジャケットは、ワックスを含まないウレタンから成り、さらに、該ジャケットは、ベルトが動く際にエレベータ装置内の他の構成部品と接触するのに適合した略平滑であり途切れのない外面を含むことを特徴とするエレベータベルトアッセンブリ。
【請求項１１】
コードは、コードと外面との間の間隔がベルトの長さに亘って連続的であるように、ジャケット中で位置していることを特徴とする請求項１０記載のアッセンブリ。
【請求項１２】
ジャケットは、互いに逆向きの表面を含み、表面の少なくとも１つが、略平滑であり途切れのない外面を有し、かつ、互いに逆向きの表面は、平行であることを特徴とする請求項１０記載のアッセンブリ。
【請求項１３】
ジャケットは、エーテルベースのポリウレタンから成ることを特徴とする請求項１０記載のアッセンブリ。
【請求項１４】
（ａ）  複数のコードを選択された配置に整列させる工程と、
（ｂ）  選択されたジャケット材料をコードに付加して、エレベータ装置内の滑車との接触に適合した平滑であり途切れのない表面をジャケットの外部に有するジャケット中にコードを包埋する工程と、
（ｃ）  ジャケット中にコードを包埋した後に、追加の寸法制御を与えるようにジャケットの表面に表面処理を行い、
（ｄ）  表面処理を行った後に、ジャケットおよびコードの硬化させ、
（ｅ）  コードにかけられた張力が、ジャケット中のコードの位置を制御し、かつ、コードが、ベルトアッセンブリの長さに亘って平滑であり途切れのない、ジャケット上の表面から、均一な間隔になるように、ジャケット付加中にコードにそれぞれ選択された張力を保持する工程と、
を含む方法により製造されたことを特徴とする、エレベータベルトアッセンブリ。
【請求項１５】
前記方法は、異なるコードのそれぞれに異なる張力を保持することを含むことを特徴とする請求項１４記載の工程。
【請求項１６】
ジャケット材料が、ワックスを含まないポリウレタンから成り、前記方法の工程（ｂ）は、成型装置を用いることを含み、かつ、付加されたジャケットとコードとが成型装置を出る際にジャケット材料または成型装置のうち少なくとも１つを冷却することを含むことを特徴とする請求項１４記載のアッセンブリ。
【請求項１７】
前記方法は、ジャケット材料または成型装置に流体を施すことを含むことを特徴とする請求項１６記載のアッセンブリ。
【請求項１８】
ジャケット材料が、ポリウレタンから成り、コードが、鋼から成ることを特徴とする請求項１４のアッセンブリ。
【請求項１９】
表面処理を行う工程は、ジャケット外面が所望の形状を確実に有するようにする形付け装置にジャケットを強制的に導入することによってジャケット外面を仕上げることを含むことを特徴とする請求項１４記載のアッセンブリ。
【請求項２０】
表面処理を行う工程は、ジャケットが付加された後に、ジャケットの表面にローラーをかけることを含むことを特徴とする請求項１記載の方法。
【請求項２１】
ローラーをかける工程は、表面にエンボス模様を形成することを含むことを特徴とする請求項２０記載の方法。
【請求項２２】
表面処理を行う方法工程は、ジャケットが付加された後に、ジャケットの表面にローラーをかけることを含むことを特徴とする請求項１４記載のアッセンブリ。
【請求項２３】
ローラーをかける方法工程は、表面にエンボス模様を形成することを含むことを特徴とする請求項２２記載のアッセンブリ。
【手続補正書】
【提出日】平成17年7月12日(2005.7.12)
【手続補正１】
【補正対象書類名】特許請求の範囲
【補正対象項目名】請求項７
【補正方法】変更
【補正の内容】
【請求項７】
目標コースまたは目標コース角度が検出または推定された道路延長形状によって決定され、実際コースまたは実際コース角度が検出または推定された車両コースによって決定され、目標コースまたは目標コース角度が実際コースまたは実際コース角度と比較され、運転者が現在の実際コースまたは実際コース角度を補正するために目標コースまたは目標コース角度の方にアシストされることを特徴とする、請求項３〜６のいずれか一つに記載の方法。
【手続補正２】
【補正対象書類名】明細書
【補正対象項目名】００２７
【補正方法】変更
【補正の内容】
【００２７】
レーン案内のために操舵アシスト機能を実現するブロック図が図３，４に示してある。その際、基本思想は、目標コース１０からの偏差が決まっている場合、運転者アシストシステムが、操舵ブースタ特性曲線の（零点）移動によって、運転者に、現在の操舵角ｕを修正させ、かつ周辺（道路）によって与えられるコースを維持するために必要なステアリングホイール角度ｕsollの方向にステアリングホイールを動かすきっかけを作り、同時に補助することにある。この移動は直線走行時の操舵感覚の零点移動に一致する。
【手続補正３】
【補正対象書類名】明細書
【補正対象項目名】００３８
【補正方法】変更
【補正の内容】
【００３８】
本発明により、運転者は操舵操作を補助され、零点が（手動トルクＭH の軸線上で）水平方向に摺動することにより（矢印Ｓ）、車両コースを走行コースに合わせる方への操舵運動を指示される。運転者が例えばステアリングホイールを右側へ（強く）回転させると、特性曲線は右側に移動する。それによって、車輪の直線位置を示すステアリングホイールの“零位置”が、操舵可能な車輪の所定の位置で右側で達成される。これは零点がＳ１だけ移動した特性曲線Ｋ１によって示してある。特性曲線Ｋ２は特性曲線Ｋが左方向にＳ２だけ摺動した状況を示している。サーボ操舵機能はすべての走行状況にとって変化しないでそのままであるので、運転者には普通の操舵感覚が得られる。従って、運転者は不安になることがなく、それにもかかわらず有利なステアリングホイール位置に関する明確な情報を得る。
【手続補正書】
【提出日】平成17年6月10日(2005.6.10)
【手続補正１】
【補正対象書類名】特許請求の範囲
【補正対象項目名】請求項１
【補正方法】変更
【補正の内容】
【請求項１】
安全装置を活動化するための方法であって、縦運動方向における車両の運動を再現する運動信号を提供するための第１衝突センサを使い、横方向における車両の運動を再現する運動信号を提供するための第２衝突センサを使い、更に処理装置を使うものであり、この処理装置を用い、縦方向又は横方向における車両の異常な運動のために設けられている安全装置が、対応する運動信号及び／又はそれから導出される信号が定義されている閾値を超過する場合に活動化される前記方法において、
縦方向にて車両の異常な運動が直接的に先行する際に、横方向における異常な運動にとって決定的な閾値が増加されることを特徴とする方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
透析手順において尿毒症毒素を除去するためのデバイスであって：
入口および出口を有し、かつ内部を規定する本体であって、該内部が、ウレアーゼを含む層、酸化ジルコニウムを含む層、リン酸ジルコニウムを含む層、および炭素を含む層を含む、本体を備え；そして
該デバイスに侵入する流体が、該デバイスに侵入するに際し、該ウレアーゼ層または該酸化ジルコニウム層と接触する前に該リン酸ジルコニウム層と接触するように構成かつ配列されている、デバイス。
【請求項２】
前記酸化ジルコニウムが硝酸イオンを除去するように改変されている、請求項１に記載のデバイス。
【請求項３】
前記酸化ジルコニウムが、ヒドロキシル形態にある、請求項１に記載のデバイス。
【請求項４】
前記炭素の層が、前記出口に並列に位置決めされている、請求項１に記載のデバイス。
【請求項５】
前記流体が、前記炭素の層に侵入する前に酸化ジルコニウムの層を通じて流れる、請求項４に記載のデバイス。
【請求項６】
前記リン酸ジルコニウムが、約２〜約８のｐＨを有する、請求項１に記載のデバイス。
【請求項７】
前記酸化ジルコニウムが、約６〜約１３のｐＨを有する、請求項１に記載のデバイス。
【請求項８】
２つの別個のリン酸ジルコニウムの層を含む、請求項１に記載のデバイス。
【請求項９】
２つの別個の酸化ジルコニウムの層を含む、請求項１に記載のデバイス。
【請求項１０】
前記デバイスの入口端部および出口端部の各々に開口ヘッダーを含む、請求項１に記載のデバイス。
【請求項１１】
前記出口の端部に位置決めされる、ガスを大気に排出するための開口部を含む、請求項１に記載のデバイス。
【請求項１２】
毒素を除去するための透析システムにおける使用のためのカートリッジであって：
入口端部および出口端部を有する本体；
少なくとも４つの層を含む内部であって、該層が、約２．５〜約５のｐＨを有するリン酸ジルコニウムおよびウレアーゼからなる群から選択される樹脂の第１の層、約９〜約１３のｐＨを有する酸化ジルコニウムおよびウレアーゼからなる群から選択される樹脂の第２の層、リン酸ジルコニウムの第３の層、および約６．５〜約７．５のｐＨを有する酸化ジルコニウムの第４の層を含む、内部、を備え、そして
該内部が、第１の入口端部から該内部に侵入する流体が、該第１の層、次いで該第２の層、次いで該第３の層、および次いで該第４の層を通って流れるように構成かつ配列されている、カートリッジ。
【請求項１３】
前記酸化ジルコニウムが、硝酸イオンを除去し、そしてそれを重炭酸イオンに置き換える、請求項１２に記載のカートリッジ。
【請求項１４】
前記酸化ジルコニウムが、ヒドロキシル形態にある、請求項１２に記載のカートリッジ。
【請求項１５】
前記出口端部に並列に位置決めされている炭素の層を備える、請求項１２に記載のカートリッジ。
【請求項１６】
前記第１の層が、約２００〜約８００グラムのリン酸ジルコニウムを含む、請求項１２に記載のデバイス。
【請求項１７】
前記第４の層が、約５０〜約２００グラムの炭素を含む、請求項１２に記載のデバイス。
【請求項１８】
前記ウレアーゼが、架橋された酵素結晶ウレアーゼである、請求項１２に記載のデバイス。
【請求項１９】
透析溶液を再生するためのデバイスであって：樹脂ベッドを含む本体を備え；そして
該樹脂ベッドが、少なくとも、ウレアーゼ、リン酸ジルコニウム、酸化ジルコニウム、および炭素の層を含み、そして塩基性または酸性のいずれかであるｐＨを有する透析溶液が該樹脂ベッドを通過した後に、約７〜約７．８のｐＨでカートリッジを出るように構成かつ配列されている、デバイス。
【請求項２０】
前記溶液が接触する前記樹脂ベッドの第１の層が、約２．０〜約５のｐＨを有するリン酸ジルコニウムおよびウレアーゼからなる群から選択される、請求項１９に記載のデバイス。
【請求項２１】
前記樹脂ベッド中の前記溶液が通過する第２の層が、約９〜約１３のｐＨを有する酸化ジルコニウムおよびウレアーゼからなる群から選択される、請求項１９に記載のデバイス。
【請求項２２】
前記溶液が接触する前記樹脂ベッドの第３の層が、リン酸ジルコニウムである、請求項１９に記載のデバイス。
【請求項２３】
前記溶液が接触するカートリッジの第４の層が、約６．８〜約７．５のｐＨを有する酸化ジルコニウムである、請求項１９に記載のデバイス。
【請求項２４】
前記カートリッジを出る溶液のｐＨが約７．４である、請求項１９に記載のデバイス。
【請求項２５】
前記第１の層が、約２００〜約８００グラムのリン酸ジルコニウムを含む、請求項１９に記載のデバイス。
【請求項２６】
前記炭素の層が、透析溶液から、３０グラムより少ないグルコースを除去する、請求項１９に記載のデバイス。
【請求項２７】
前記ウレアーゼが、架橋された酵素結晶ウレアーゼである、請求項１９に記載のデバイス。
【請求項２８】
透析溶液で患者を処置するためのシステムにおける使用のためのデバイスであって：
透析溶液の供給源と流体連結している、入口；
該入口を含み、そして内部を規定し、かつ出口を有する本体であって、３層構造を規定する、ウレアーゼの層、酸化ジルコニウムの層、およびリン酸ジルコニウムの層を含む樹脂ベッドを含む、本体；および
該透析溶液に接触する該３層構造の第１の層が該ウレアーゼの層または該リン酸ジルコニウムの層のいずれかであるように配向され、かつ該酸化ジルコニウムの層が該入口に侵入する塩基性または酸性の透析溶液が生理学的に受容可能なｐＨで該出口から出るように構成かつ配列されている、該樹脂ベッド、を備える、デバイス。
【請求項２９】
再生透析システムで用いられる、請求項２８に記載のデバイス。
【請求項３０】
前記溶液が接触する前記樹脂ベッドの第１の層が、約２．０〜約５のｐＨを有するリン酸ジルコニウムおよびウレアーゼからなる群から選択される、請求項２８に記載のデバイス。
【請求項３１】
前記溶液が通過する前記樹脂ベッド中の第２の層が、約９〜約１３のｐＨを有する酸化ジルコニウムおよびウレアーゼからなる群から選択される、請求項２８に記載のデバイス。
【請求項３２】
前記樹脂ベッドが、少なくとも４つの層を含む、請求項２８に記載のデバイス。
【請求項３３】
前記酸化ジルコニウムの層が、約６．８〜約７．５のｐＨを有する、請求項２８に記載のデバイス。
【請求項３４】
前記カートリッジを出る溶液のｐＨが、約７．２〜７．６である、請求項２８に記載のデバイス。
【請求項３５】
前記第１の層が、約２００〜約８００グラムのリン酸ジルコニウムを含む、請求項２８に記載のデバイス。
【請求項３６】
過剰量のグルコースを除去しないように選択されている炭素の層を含む、請求項２８に記載のデバイス。
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
薄膜蒸発装置でポリフェニレンエーテルポリマー樹脂溶液から溶剤を除去する方法であって、当該方法が、
ａ）１種以上の有機溶剤とポリフェニレンエーテルポリマー樹脂を含む溶液を、加熱室を備えた薄膜蒸発装置に供給する段階、
ｂ）加熱室の壁面に溶液の膜を形成する段階、及び
ｃ）２つの速度モデルを満足する圧力、温度、供給速度及び溶液固形分濃度の条件下で作動する薄膜蒸発装置の加熱室内で膜を加熱する段階であって、上記２つの速度モデルのうち、１つの速度モデルが副生物生成速度２５０ｐｐｍ未満を規定し、もう１つの速度モデルが薄膜蒸発装置から排出される物質の蒸気速度１．５ｆｔ／ｓ未満を規定する
段階
を含んでなる方法。
【請求項２】
副生物生成速度２５０ｐｐｍ未満を規定するモデルが式Ｉで表され、薄膜蒸発装置から排出される物質の蒸気速度１．５ｆｔ／ｓ未満を規定するモデルが式IIで表される、請求項１記載の方法。
５．３×１０２４ＲＬδｅｘｐ（−２４１２３／Ｔ）／ｍ  ＜  Ｃ          Ｉ
１００−（４９６０ＡＰ／Ｔｍ）  ＜  Ｃ                    II
［式中、Ｔはワイパー式薄膜蒸発装置の円筒状加熱室の作動温度（絶対温度Ｋ）、
Ｒはワイパー式薄膜蒸発装置の円筒状加熱室の半径（ｆｔ）、
Ｌはワイパー式薄膜蒸発装置の円筒状加熱室の長さ（ｆｔ）、
Ｐはワイパー式薄膜蒸発装置の円筒状加熱室の作動圧力（絶対圧力ｍｍＨｇ）、
Ａはワイパー式薄膜蒸発装置の円筒状加熱室の断面積（ｆｔ２）、
δは円筒状加熱室の壁面の溶液の膜の厚さ（ｆｔ）、
ｍはポリフェニレンエーテルポリマー樹脂溶液のワイパー式薄膜蒸発装置の円筒状加熱室への供給速度（溶液ｌｂ／ｈｒ）、
Ｃはポリフェニレンエーテルポリマー樹脂溶液の固形分濃度（固形分重量％）である。］
【請求項３】
ワイパー式薄膜蒸発装置でポリフェニレンエーテルポリマー樹脂溶液から溶剤を除去する方法であって、当該方法が、
ａ）１種以上の有機溶剤とポリフェニレンエーテルポリマー樹脂を含む溶液を、円筒状加熱室を備えたワイパー式薄膜蒸発装置に供給する段階、
ｂ）円筒状加熱室の壁面に溶液の膜を形成する段階、及び
ｃ）式Ｉ及び式IIで規定される関係を満足する圧力、温度、供給速度及び溶液固形分濃度の条件下で作動するワイパー式薄膜蒸発装置の円筒状加熱室の壁面の膜を加熱する段階
を含んでなる方法。
５．３×１０２４ＲＬδｅｘｐ（−２４１２３／Ｔ）／ｍ  ＜  Ｃ          Ｉ
１００−（４９６０ＡＰ／Ｔｍ）  ＜  Ｃ                    II
［式中、Ｔはワイパー式薄膜蒸発装置の円筒状加熱室の作動温度（絶対温度Ｋ）、
Ｒはワイパー式薄膜蒸発装置の円筒状加熱室の半径（ｆｔ）、
Ｌはワイパー式薄膜蒸発装置の円筒状加熱室の長さ（ｆｔ）、
Ｐはワイパー式薄膜蒸発装置の円筒状加熱室の作動圧力（絶対圧力ｍｍＨｇ）、
Ａはワイパー式薄膜蒸発装置の円筒状加熱室の断面積（ｆｔ２）、
δは円筒状加熱室の壁面の溶液の膜の厚さ（ｆｔ）、
ｍはポリフェニレンエーテルポリマー樹脂溶液のワイパー式薄膜蒸発装置の円筒状加熱室への供給速度（溶液ｌｂ／ｈｒ）、
Ｃはポリフェニレンエーテルポリマー樹脂溶液の固形分濃度（固形分重量％）である。］
【請求項４】
Ｃが２５〜８０重量％の範囲の値である、請求項３記載の方法。
【請求項５】
ワイパー式薄膜蒸発装置の円筒状加熱室の作動温度Ｔにおけるポリフェニレンエーテルポリマー樹脂の溶融粘度が５００００ｃｐ未満である、請求項４記載の方法。
【請求項６】
ワイパー式薄膜蒸発装置の円筒状加熱室の作動温度Ｔが式Ｔ≧（１１５＋５５２×ＩＶ）（式中、ＩＶは溶液中のポリフェニレンエーテルポリマー樹脂の固有粘度である）を満足する、請求項４記載の方法。
【請求項７】
溶液中のポリフェニレンエーテルポリマー樹脂が、クロロホルム中で０．２５ｄｌ／ｇ未満の固有粘度を有する、請求項６記載の方法。
【請求項８】
さらに、加熱室からポリフェニレンエーテルポリマー樹脂生成物を回収する段階を含み、ポリフェニレンエーテルポリマー樹脂生成物が固形分９９．５％超及び生成副生物２５０ｐｐｍ未満である、請求項７記載の方法。
【請求項９】
使用するワイパー式薄膜蒸発装置についてＲ、Ｌ及びＡの値は定数であり、Ｐ、Ｔ、Ｍ及びＣの値は式ｍ×Ｃ＝Ｑから求めた産出量Ｑの値が最大値の９０〜１００％となるように選択する、請求項８記載の方法。
【請求項１０】
Ｐ及びＴの値は定数であり、ｍ及びＣの値は産出量Ｑの値が式Ｉ及び式IIにより可能になる最大値の９０〜１００％となるように選択する、請求項９記載の方法。
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
表面１８上に粒子２６を分配する装置であって、
粒子２６を受容するホッパ５０であって、
ホッパ開口部５５と、
該ホッパ開口部５５を覆うように配置されるスクリーン５６と、
該スクリーン５６に近接して配置されるブラシ５８であって、それにより該ブラシ５８の剛毛が該スクリーン５６に接触するブラシ５８と、
を備えるホッパ５０と、
該ブラシ５８を支持可能に係合し、任意に回転自在に支持し、該ブラシ５８が長手方向軸を有するものである、クレードル５２と、
該クレードル５２に固定された枢支マウント６２であって、該ブラシ５８の該長手方向軸に対して垂直に配置された枢支軸を有しそれにより該ブラシ５８が該枢支マウント６２の該枢支軸を中心に回転することができる、枢支マウント６２と、
任意に、粒子２６が選択的に前記スクリーン５６を通るのを可能にするように該スクリーン５６に近接して配置されたシャッタと、
を具備する装置。
【請求項２】
前記枢支マウント６２が、前記ホッパ５０を前記クレードル５２に支持可能に係合する、請求項１に記載の装置。
【請求項３】
該ブラシ５８を該クレードル５２に固定する急速解放機構をさらに具備し、任意に、前記急速解放機構が、
前記ブラシ５８と前記クレードル５２とのうちの一方に固定されたばね式マンドレル１２０と、
該ブラシ５８と該クレードル５２とのうちの他方に配置され前記マンドレル１２０を支持可能に受容するように構成された少なくとも１つのレセプタクルと、
を備える、請求項１に記載の装置。
【請求項４】
前記スクリーン５６が、
スクリーン部５６Ａと、
該スクリーン部５６Ａに固着可能に取り付けられ前記ホッパ５０の第１取付点８０Ａに解放自在に固定される第１支持棒５６Ｂと、
該第１支持棒５６Ｂに略平行であり該ホッパ５０の急速解放第２取付点８０Ｂに解放自在に固定される第２支持棒５６Ｃと、
をさらに備え、
該第１取付点８０Ａが前記ホッパ開口部５５の一方の側に配置され、該第２取付点８０Ｂが該ホッパ開口部５５の別の第２の側に配置される、請求項１に記載の装置。
【請求項５】
前記第２取付点８０Ｂが、
前記ホッパ５０に対して移動可能なばね付勢マウント８４であって、該ばね付勢９０を圧倒することにより前記第１棒５６Ｂが前記第１取付点８０Ａに固定されまたはそこから取り外されることが可能になる、ばね付勢マウント８４
をさらに備える、請求項１に記載の装置。
【請求項６】
監視装置から信号を受け取り前記粒子２６の分配の速度を変更するように配置されるフィードバックループ１４９をさらに具備し、任意に、前記監視装置が、
前記ホッパ５０に固着された少なくとも１つの力センサと、
該ホッパ５０の重量の変化を測定するように構成された計算装置と、
を備える、請求項１に記載の装置。
【請求項７】
前記表面が、流れるウェブ１２の粒子面１２Ａであり、
前記ブラシ５８から該ウェブ１２に沿って下流に配置された少なくとも１つのニップローラ３６と、
該ブラシ５８から該ウェブ１２に沿って下流で該ウェブ１２に固定されるライナ３７Ｂと、
をさらに備え、
該ライナ３７Ｂが、該ウェブ１２の該粒子面１２Ａと該ニップローラ３６との間に配置される、請求項１に記載の装置。
【請求項８】
表面上に粒子２６を分配する方法であって、
該粒子２６を、開口部５５を有するホッパ５０内に保持するステップと、
該開口部５５の上にスクリーン５６を分配するステップと、
該スクリーン５６に亙ってブラシ５８の剛毛を移動させるステップと、
該ブラシ５８により該粒子２６を該スクリーン５６を通して引っ張るステップと、
該粒子２６を、該表面上に定着するように空気内に分配するステップと、
を含む方法。
【手続補正書】
【提出日】平成17年7月19日(2005.7.19)
【手続補正１】
【補正対象書類名】特許請求の範囲
【補正対象項目名】全文
【補正方法】変更
【補正の内容】
【特許請求の範囲】
【請求項１】
ノズル本体を備える完全円錐液体スプレーノズルであって、
前記ノズル本体が、下流端に設けられた放出オリフィスと、上流端に設けられた、液体供給手段に接続するための入口と、当該本体を貫通して前記入口と前記放出オリフィスとの間を連通させている液体流路と、前記通路内の前記放出オリフィスの上流に配置されているベーンとを有しており、
前記液体流路が前記ベーンと前記放出オリフィスとの間に渦巻き合流チャンバを定めており、
前記ベーンが、前記放出オリフィスと同軸で、軸線方向の流れを形成するための中心オリフィスと、前記中心オリフィスの周りに円周に沿って配置されている、複数の液体の流れを接線方向に向けるための少なくとも３つの角度の付いた通路とを有し、液体の渦流やブレークダウンを起こし、前記軸線方向の流れと合流させることで、前記放出オリフィスから放出される液体が、液体粒子が全体にわたって分散している円錐形スプレーパターンを有するようにするものである、完全円錐液体スプレーノズル。
【請求項２】
前記ノズル本体の放出オリフィスが円形構造である、請求項１記載のスプレーノズル。
【請求項３】
前記ベーンが前記液体通路内に固定されている別個のインサート部材である、請求項１記載のスプレーノズル。
【請求項４】
前記ベーンが切頭円錐形の下流端を有する、請求項１記載のスプレーノズル。
【請求項５】
前記角度の付いた通路が、前記ベーンの前記切頭円錐形下流端に少なくとも部分的に連通している、請求項４記載のスプレーノズル。
【請求項６】
前記本体の通路と前記ベーンの切頭円錐形下流端が、前記渦巻きチャンバに連通し前記角度の付いた通路が液体を放出する、外側に拡がっている環状チャンバを定める、請求項４記載のスプレーノズル。
【請求項７】
前記ベーンの切頭円錐形端が、当該ベーンの軸線方向の長さの約１／２の軸線方向の長さだけ延びている、請求項６記載のスプレーノズル。
【請求項８】
前記角度の付いた通路が前記ベーンを貫通して直線状に延びている、請求項１記載のスプレーノズル。
【請求項９】
前記角度の付いた通路がそれぞれほぼＵ字型の断面を有する、請求項７記載の完全円錐スプレーノズル。
【請求項１０】
前記ノズル本体の放出オリフィスが、渦巻きチャンバに連通しており、内側に向かって先細っている切頭円錐形の入口領域と、下流端に外側に拡がっている切頭円錐形領域とを有する、請求項１記載のスプレーノズル。
【請求項１１】
前記角度の付いた通路がそれぞれ所定の幅「ｗ」と半径方向の深さ「ｄ」を有し、当該幅「ｗ」のほうが深さ「ｄ」よりも大きい、請求項１記載のスプレーノズル。
【請求項１２】
前記角度の付いた通路がそれぞれ、前記ベーンの中心オリフィスの流れの面積の約０．１９〜０．２６倍の流れの面積を定めている、請求項１記載のスプレーノズル。
【請求項１３】
互いに並列に配置されている複数のスプレーノズルを備える、金属鋳造装置において冷却液を方向付けるためのスプレーシステムであって、
各ノズルが、冷却液の円錐形スプレーパターンを冷却する金属面の被覆領域へと向けるように動作可能で、隣接するノズルの放出スプレーの被覆領域は互いに部分的に重なっており、
前記ノズルがそれぞれノズル本体を備え、前記本体が、下流端に設けられた円形放出オリフィスと、当該本体を貫通して当該本体の上流端の液体の入口と前記放出オリフィスとの間を連通させている液体流路と、前記通路内の前記放出オリフィスの上流に配置されているベーンとを有しており、
前記液体流路が前記ベーンと前記放出オリフィスとの間に渦巻き合流チャンバを定めており、
前記ベーンが、当該ベーンの周りに円周に沿って配置されている少なくとも３つの角度の付いた通路を含む複数の液体流路を有し、当該角度の付いた通路は、複数の液体の流れを前記渦巻き合流チャンバへと接線方向に向けることで、前記放出オリフィスから放出される液体が、液体粒子が全体にわたって分散している円錐形スプレーパターンを有するようにするものであり、
さらに前記ノズル本体は液体供給手段を有し、当該液体供給手段は、特定の冷却の用途のために、前記スプレーノズルからスプレーされる液体の量に応じた所定の圧力範囲内の異なる圧力で、加圧された冷却液を前記ノズルへと向けるためのものであり、
前記スプレーノズルはそれぞれ、一定の円錐形スプレー角度で円錐形スプレーパターンを放出し、前記所定の圧力範囲内で液体圧力が変化しても一定の被覆領域に衝突させるのに有効である、スプレーシステム。
【請求項１４】
前記ベーンの流路が、前記角度の付いた通路によって接線方向に放出される複数の流れと合流される軸線方向の流れを形成するための、前記放出オリフィスと同軸の中心オリフィスを含む、請求項１３記載のスプレーシステム。
【請求項１５】
互いに並列に配置されている複数のスプレーノズルを備える、金属鋳造作業において冷却液を方向付けるためのスプレーシステムであって、
各ノズルが、冷却する金属面の被覆領域に冷却液の円錐形スプレーパターンを向けるように動作可能で、隣接するノズルの放出スプレーの被覆領域は互いに部分的に重なり合う関係にあり
前記ノズルがそれぞれノズル本体を備え、当該ノズル本体が、下流端に設けられた放出オリフィスと、当該本体を貫通して当該本体の上流端にある液体の入口と前記放出オリフィスとの間を連通させている液体流路と、前記通路内の前記放出オリフィスの上流に配置されているベーンとを有しており、
前記液体流路が前記ベーンと前記放出オリフィスとの間に渦巻き合流チャンバを定めており、
前記ベーンが、前記放出オリフィスと同軸で軸線方向の流れを形成するための中心オリフィスと、前記中心オリフィスの周りに円周に沿って配置されている、複数の液体の流れを接線方向に向けるための複数の角度の付いた通路とを有し、液体の渦流やブレークダウンを起こし前記軸線方向の流れと合流させることで、前記放出オリフィスから放出される液体が、液体粒子が全体に分散している円錐形スプレーパターンを有するようにするものであり、
さらに前記本体は加圧された冷却液を前記ノズルへと向けるための液体供給手段を有しており、
前記スプレーノズルは円錐形スプレーパターンを放出するのに有効で、液体圧力が前記所定の圧力範囲内で変化しても、ノズル本体の軸線を通るように切り取られた第１の平面セグメントにおける単位面積当たりの液体の流量が、第１の平面セグメントの被覆領域に垂直で、ノズル本体の軸線を通るように切り取られた第２の平面セグメントにおける単位面積当たりの液体の流量に実質的に近似している、スプレーシステム。
【請求項１６】
前記ベーンが切頭円錐形の下流端を有する、請求項１３〜１５のいずれか１項に記載のスプレーシステム。
【手続補正書】
【提出日】平成18年2月15日(2006.2.15)
【手続補正１】
【補正対象書類名】特許請求の範囲
【補正対象項目名】請求項３
【補正方法】変更
【補正の内容】
【請求項３】
前記材料の厚さが２７０〜３４０μｍにわたり、かつ、前記単位重量が５５〜７５ｇ／ｍ2にわたることを特徴とする、請求項１に記載のオーバーオール。
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
外側に向けて突出したエラストマー要素の配列によって画定されるミクロ複製した表面を有する物品における改良装置であって、
前記配列が要素の第１および第２のゾーンを有し、前記配列が約５００要素／平方インチよりも多く、それぞれのゾーンの内部の前記要素が一般に均一な形状をしており、前記第１のゾーンの前記要素が前記第２のゾーンの前記要素より高さが高い、改良装置。
【請求項２】
前記配列が、要素の前記第１のゾーンから、それらの間に配置された要素の前記第２のゾーンによって隔てられる要素の第３のゾーンを有し、そして、前記第３のゾーンの前記要素が、前記第２のゾーンの前記要素よりも高さが高い、請求項１に記載の改良装置。
【請求項３】
前記物品が、スポーツ物品または工具のためのハンドルグリップである、請求項１に記載の改良装置。
【請求項４】
前記第１のゾーンの前記要素が約０．０２０〜約０．０３０インチの高さを有する、請求項１に記載の改良装置。
【手続補正２】
【補正対象書類名】図面
【補正対象項目名】図６
【補正方法】変更
【補正の内容】
【図６】
2005508769.tif 000001
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2005508341.tif 000001
式中、Ａは、基
【化２】
2005508341.tif 000002
−（ＣＨ２）２ＣＨ３を表し、
Ｂは、基
【化３】
2005508341.tif 000003
を表す、
の化合物、およびそれらの塩。
【請求項２】
Ａがパラ−フルオロフェニルを表す、請求項１に記載の化合物。
【請求項３】
Ｂがイソプロピルを表す、請求項１または請求項２に記載の化合物。
【請求項４】
ａｎｔｉ異性体形態の、請求項１ないし請求項３のいずれかに記載の化合物。
【請求項５】
病気の予防および処置用の、請求項１ないし請求項４のいずれかにおいて定義される式（Ｉ）の化合物。
【請求項６】
請求項１ないし請求項４のいずれかにおいて定義される化合物、並びに不活性、非毒性の医薬的に適する媒体、溶媒および／または賦形剤を含む薬剤。
【請求項７】
疾患の予防および処置のための、請求項１ないし請求項６のいずれかにおいて定義される式（Ｉ）の化合物または薬剤の使用。
【請求項８】
薬剤の生産のための、請求項１ないし請求項５のいずれかにおいて定義される式（Ｉ）の化合物の使用。
【請求項９】
コレステロールエステル転送タンパク質（ＣＥＴＰ）の阻害およびコレステロール逆転送の刺激のための、請求項１ないし請求項６のいずれかにおいて定義される式（Ｉ）の化合物または薬剤の使用。
【請求項１０】
ＨＤＬコレステロールレベルの同時上昇を伴う血中のＬＤＬコレステロールレベルの低下のための、請求項１ないし請求項６のいずれかにおいて定義される式（Ｉ）の化合物または薬剤の使用。
【請求項１１】
低リポタンパク質血症、異脂肪血症、高トリグリセリド血症、高脂血症、動脈硬化症、体脂肪蓄積および肥満症、卒中およびアルツハイマー病の処置および予防のための、請求項７および請求項８のいずれかに記載の使用。
【請求項１２】
請求項１ないし請求項６において定義される式（Ｉ）の化合物または薬剤が生物に投与され、作用するようにされることを特徴とする、疾患の予防および処置の方法。
【請求項１３】
一般式（ＩＩ）
【化４】
2005508341.tif 000004
式中、ＡおよびＢは、請求項１で示した意味を有する、
の化合物を、最初に一般式（ＩＩＩ）
【化５】
2005508341.tif 000005
式中、ＡおよびＢは、請求項１で示した意味を有する、
の化合物に酸化し、それを次の工程で非対称還元の手段により反応させて一般式（ＩＶ）
【化６】
2005508341.tif 000006
式中、ＡおよびＢは、請求項１で示した意味を有する、
の化合物を得、それを次いで、
［Ａ］ヒドロキシ保護基の導入により一般式（Ｖ）
【化７】
2005508341.tif 000007
式中、Ｒ１は、ヒドロキシ保護基、好ましくは式−ＳｉＲ２Ｒ３Ｒ４（式中、Ｒ２、Ｒ３およびＲ４は、同一かまたは異なり、Ｃ１−Ｃ４アルキルを示す）の基を表す、
の化合物に変換し、続く工程でそれから一般式（ＶＩ）
【化８】
2005508341.tif 000008
式中、Ｒ１、ＡおよびＢは、請求項１で示した意味を有する、
の化合物を、ジアステレオ選択的還元の手段により調製し、最終的にヒドロキシ保護基を常套方法に従って切断するか、
または、
［Ｂ］式（ＩＶ）の化合物を直接還元する、
を特徴とする、請求項１において定義される式（Ｉ）の化合物の調製方法。
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
（ａ）治療有効量の粒状バルデコキシブ、および（ｂ）口内で迅速な溶解性を示し、バルデコキシブ粒子と均質に結合する少なくとも１つの製薬上許容できる添加剤を含み、口内で迅速な溶解性を示す少なくとも１つの添加剤の総量は、５０質量％〜９９質量％である、口内速溶解性組成物。
【請求項２】
口内で迅速な溶解性を示す少なくとも１つの製薬上許容できる添加剤は、炭水化物である、請求項１に記載の組成物。
【請求項３】
口内で迅速な溶解性を示す少なくとも１つの製薬上許容できる添加剤は、糖類である、請求項１に記載の組成物。
【請求項４】
口内で迅速な溶解性を示す少なくとも１つの製薬上許容できる添加剤は、マルトース、マルチトール、ソルビトール、ラクトースおよびマンニトールからなる群より選択される、請求項１に記載の組成物。
【請求項５】
口内で迅速な溶解性を示す少なくとも１つの添加剤の総量は、５０質量％〜９０質量％である、請求項１に記載の組成物。
【請求項６】
口内で迅速な溶解性を示す少なくとも１つの製薬上許容できる添加剤は、高い成形性を有する糖類、および、低い成形性を有する糖類を含む、請求項１に記載の組成物。
【請求項７】
高い成形性を有する糖類の低い成形性を有する糖類に対する質量比は、低い成形性を有する糖類１００部あたり、高い成形性を有する糖類２〜２０部である、請求項６に記載の組成物。
【請求項８】
高い成形性を有する糖類の低い成形性を有する糖類に対する質量比は、低い成形性を有する糖類１００部あたり高い成形性を有する糖類５〜７.５部である、請求項６に記載の組成物。
【請求項９】
１〜１０ｋｐの硬度を有する、請求項１に記載の組成物。
【請求項１０】
５〜５０ｍｇの量のバルデコキシブを含む、請求項１に記載の組成物。
【請求項１１】
米国薬局方２４のインビトロでの崩壊試験番号７０１を行った場合、３００秒未満の崩壊時間を示す、請求項１に記載の組成物。
【請求項１２】
米国薬局方２４のインビトロでの崩壊試験番号７０１を行った場合、１００秒未満の崩壊時間を示す、請求項１に記載の組成物。
【請求項１３】
ヒトの口腔に置いた後６０秒以内に崩壊する、請求項１に記載の組成物。
【請求項１４】
ヒトの口腔に置いた後３０秒以内で崩壊する、請求項１に記載の組成物。
【請求項１５】
感覚刺激的に許容できる、請求項１に記載の組成物。
【請求項１６】
口内で崩壊するバルデコキシブ錠剤組成物の製造方法であって、粒状のバルデコキシブを提供する工程；口内で迅速な溶解性を示す少なくとも１つの製薬上許容できる添加剤を容器中で、該方法が完了した際に、添加剤が錠剤の総質量の５０〜９９％になるような総量で水に溶解する工程；バルデコキシブを水に分散する工程；ここで、溶解する工程および分散する工程は、いずれかの順序で、または同時に行われ、スプレー用液を得る；スプレー用液を噴霧乾燥し、錠剤形成配合物を作製する工程；および、錠剤形成配合物を圧縮し、錠剤を作製する工程を含む、上記の製造方法。
【請求項１７】
溶解する工程および／または分散する工程の前、それと同時に、またはその後に、ただし噴霧乾燥工程の前に、水の入った容器を加熱する工程をさらに含む、請求項１６に記載の方法。
【請求項１８】
分散する工程および／または溶解する工程の前に、それと同時に、またはその後に、ただし噴霧乾燥工程の前に、湿潤剤を水に溶解する工程をさらに含む、請求項１６に記載の方法。
【請求項１９】
分散する工程および／または溶解する工程の前に、それと同時に、またはその後に、ただし噴霧乾燥工程の前に、湿潤剤水溶液を水に溶解する工程をさらに含む、請求項１６に記載の方法。
【請求項２０】
口内で迅速な溶解性を示す少なくとも１つの添加剤は、方法が完了した際に、添加剤が錠剤の総質量の５０〜９５％で含まれるような総量で溶解される、請求項１６に記載の方法。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
以下のステップ:
a）磨砕して乾燥させたソラヌム種の植物組織を、製薬学的に許容可能な揮発性アルコールを使用してアルコール抽出を行う;
b）得られた抽出物を乾燥させて揮発性の弱酸に溶解させ、遠心分離する;
c）上澄みを、揮発性塩基を使用して沈殿させる;
d）沈殿物を充分に洗浄し乾燥させる
を含む、配糖体抽出物の製造方法。
【請求項２】
ステップb）及びc）を数回繰り返す、請求項１に記載の方法。
【請求項３】
揮発性酸が酢酸である、請求項１〜３のいずれかに記載の方法。
【請求項４】
塩基が高濃度アンモニアである、請求項１〜３のいずれかに記載の方法。
【請求項５】
乾燥させた植物組織が凍結乾燥させたソラヌム・ソドマエムの果実である、請求項１〜４のいずれかに記載の方法。
【請求項６】
請求項１〜５のいずれかに従って得られる抽出物をシリカゲルクロマトグラフィーにかけることを含む、トリグリコシド類のソラソニン及びソラマルギン抽出物を実質的に純粋な形で分離する方法。
【請求項７】
使用する溶離液がメタノール/アセトングラジエントである、請求項７に記載の方法。
【請求項８】
トリグリコシド類のソラソニン及びソラマルギンを含み、90%を超える純度を有するソラソジントリグリコシド抽出物。
【請求項９】
ソラソニン:ソラマルギンの比率が0.3〜0.7:0.4〜0.8の範囲である、請求項８に記載のソラソジントリグリコシド抽出物。
【請求項１０】
ソラソニン:ソラマルギンの比率が0.4〜0.6:0.5〜0.7の範囲である、請求項８又は９に記載のソラソジントリグリコシド抽出物。
【請求項１１】
ソラソニン:ソラマルギンの比率が0.7:0.5の範囲である、請求項８に記載のソラソジントリグリコシド抽出物。
【請求項１２】
請求項６又は７のいずれかに記載の方法に従って得られる、請求項８〜１１のいずれかに記載のソラソジントリグリコシド抽出物。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
経口供給法に使用される食用生地において、
前記生地が、少なくとも一種類の粉と、少なくとも一種類の樹脂を含む溶解性繊維、および少なくともグリセロールを含む薬学的あるいは生理学的に許容される薬剤とを含み、
当該生地が、一または複数の、丸薬、錠剤、カプセルおよびこれらの組合せを含む一群から選択された薬剤の周囲にピタリと貼り付くことができ、
前記生地が伸縮性を有していて、前記薬剤に膜を形成することができる
ことを特徴とする食用生地。
【請求項２】
前記粉が、ウーラット豆の粉、小麦粉、とうもろこしの粉、米粉、およびこれらの組合せからなる一群から選択されることを特徴とする請求項１に記載の食用生地。
【請求項３】
前記溶解性繊維が、ペクチン、ベータグルカン、でんぷん、グルテン、ガーゴム、寒天、野菜、果物、米ぬか、パルプ、およびこれらの組合せを含む一群からなる化合物と組み合わされた少なくとも一種類の樹脂であることを特徴とする請求項１または２に記載の食用生地。
【請求項４】
少なくとも一種類の保存料化合物、食塩、水、少なくとも一種類の無機質充填物、プロピレングリコール、ポリエチレングリコール、少なくとも一種類の乳化剤、少なくとも一種類の油脂化合物、少なくとも一種類の色素、少なくとも一種類の溶解性繊維、およびこれらの組合せからなる一群から選択された別の化合物とグリセロールとが、前記、薬学的あるいは生理学的に許容される薬剤に含まれることを特徴とする請求項１ないし３のいずれかに記載の食用生地。
【請求項５】
前記保存料化合物が、ベンジルアルコール、パラベン、ソルビン酸塩、安息香酸塩、およびこれらの組合せからなる一群から選択されることを特徴とする請求項４に記載の食用生地。
【請求項６】
前記無機質充填物が、ケイ酸塩、硫酸塩、炭酸塩、金属酸化物、およびこれらの組合せからなる一群から選択されることを特徴とする請求項４または５に記載の食用生地。
【請求項７】
前記少なくとも一種類の乳化剤および前記少なくとも一種類の油脂化合物が、エトキシ化物、樹脂、ソルビタン、ヒマシ油誘導体、固形油脂、一ステアリン酸塩、およびこれらの組合せからなる一群から選択されることを特徴とする請求項４ないし６のいずれかに記載の食用生地。
【請求項８】
前記生地が、ピーナツ油、ひまわり油、およびこれらの組合せを含む一群から選択される油を含むことを特徴とする請求項１ないし７のいずれかに記載の食用生地。
【請求項９】
前記生地が、動物を惹きつける香味料を含むことを特徴とする請求項１ないし８のいずれかに記載の食用生地。
【請求項１０】
前記香味料が、牛肉、羊肉、鶏肉、シーフード、ベーコン、アミノ酸、これらの抽出物、およびこれらの組合せからなる一群から選択されることを特徴とする請求項９に記載の食用生地。
【請求項１１】
前記香味料が、全混合物の０．４５ないし１．５重量パーセント含まれていることを特徴とする請求項９または１０に記載の食用生地。
【請求項１２】
前記動物が家庭のペットであることを特徴とする請求項９ないし１１のいずれかに記載の食用生地。
【請求項１３】
経口供給法に使用される食用生地において、前記生地が、米粉、小麦粉、アカシア樹脂、小麦グルテン、未変性とうもろこしでんぷん、水素添加ココナツ油、水、グリセリン、炭酸カルシウム、二酸化チタン、メタ重亜硫酸ナトリウム、牛肉香味料、燻製風味料、カラメル色素、を含んでいて、前記生地が伸縮性を有していて、薬剤に膜を形成することができることを特徴とする食用生地。
【請求項１４】
前記生地に、一または複数の種類の粉、食塩、香味料、あるいはこれらの組合せからなる一群から選ばれる追加成分がまぶされていることを特徴とする請求項１３に記載の食用生地。
【請求項１５】
前記生地が、常温で微生物学的に安定であることを特徴とする請求項１３又は１４に記載の食用生地。
【請求項１６】
請求項１ないし１５のいずれかに記載の食用生地が包装されているブロックを含む製品。
【請求項１７】
請求項１ないし１５のいずれかに記載の食用生地を小分けして、各々をブリスターパックに詰めた製品。
【請求項１８】
動物に薬剤を供給する経口供給方法において、
請求項１ないし１５のいずれかに記載された食用生地を、薬剤の周りにピタリと貼りつけ、
前記生地が貼り付けられた薬剤を動物に投与し、
前記生地が伸縮性を有するので、前記薬剤と当該生地との間に膜が形成され、前記薬剤と当該生地とを動物が分離できないことを特徴とする
動物に薬剤を供給する経口供給方法。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
２−カルバモイル−８−ヒドロキシキノリン−７−カルボン酸誘導体およびその医薬として許容される塩類において、これらが一般式Ｉに対応する：
【化１】
2005508350.tif 000001
式中
−Ｘはｎが０、１または２に等しいアルキル−（ＣＨ２）ｎ−鎖、ＯまたはＮを表し、
−Ｚは芳香環を構成する炭素原子の置換物として、Ｏ、ＮまたはＳから選択されるヘテロ原子を含んでもよい芳香環を表し、該環はＲｂで置換されてもされなくてもよく、
−Ｒｂは基−ＯＨ、−ＯＲ、−ＣＯＯＨ、−ＣＯＯＲ、−ＣＯＨ、−ＣＯＲ、−ＮＨ２、−ＮＨ（Ｒ）、−ＮＨ（Ｒ，Ｒ’）、−ＳＨ、−ＳＲおよびＣＮから選択される１〜３個の同一または異なる置換基を表し、
−Ｒａは水素原子または基−（ＣＨ２）ｎ’−Ｙを表し、式中ｎ’は０、１、２または３に等しく、Ｙは−ＣＨ３、−ＣＯＯＨ、−ＣＯＯＲ、−ＣＮ、−ＯＨ、−ＯＲ、ＳＲ、または場合によってはＲｂで置換されたアリール基を表し、
−ＲおよびＲ’は同一または異なり、炭素原子数１〜４の直鎖状または分枝状のアルキル鎖を表す
ことを特徴とする誘導体および塩類。
【請求項２】
２−（３，４−ジヒドロキシベンジルカルバモイル）−８−ヒドロキシキノリン−７−カルボン酸、２−（２，４−ジヒドロキシベンジルカルバモイル）−８−ヒドロキシキノリン−７−カルボン酸から選択される２−カルバモイル−８−ヒドロキシキノリン−７−カルボン酸誘導体およびそのナトリウム塩。
【請求項３】
請求項１記載の誘導体を合成する方法において、該方法が、式ＩＩ
【化２】
2005508350.tif 000002
［式中、Ｒ１およびＲ２は同一または異なり、Ｃ１〜４のアルキル基を表す］
のキノリンカルボン酸スクシンイミジルと、適切な塩の形態である、式ＩＩＩ
【化３】
2005508350.tif 000003
のアミンとの反応、続いて鹸化および適切な酸性化から成ることを特徴とする方法。
【請求項４】
アミドスぺーサーアーム(spacer arm)を有する式ＩＡ
【化４】
2005508350.tif 000004
［式中、ＲｂおよびＺは上に定義した通りであり、Ｘは上に定義したように基−（ＣＨ２）ｎ−を表す］
の誘導体を調製するために、式ＩＩのキノリンカルボン酸スクシンイミジルを、下記の式ＩＶ：
［Ｈ３Ｎ−Ｘ−Ｚ（Ｒｂ）］＋Ａ−  （ＩＶ）
［式中、ＺおよびＲｂは上に定義した通りであり、Ｘは上に定義したように（ＣＨ２）ｎであり、Ａ−は有機塩、特にｐ−トルエンスルホン酸塩のアニオンである］のアミン塩と反応させ、アミド誘導体を鹸化、次いで酸性化により回収することを特徴とする、請求項３記載の方法。
【請求項５】
置換されたスぺーサーアームを有する式ＩＢ
【化５】
2005508350.tif 000005
［式中、ＲｂおよびＺは上に定義した通りであり、Ｘは上に定義した既知の基−（ＣＨ２）ｎ−を表す］の誘導体を調製するために、式ＩＩの誘導体を、下記の式Ｖ：
【化６】
2005508350.tif 000006
［式中、置換基は上に定義した通りである］のアミンと反応させ、この反応の後に鹸化が行われることを特徴とする、請求項３記載の方法。
【請求項６】
ヒドラジドスぺーサーアームを有する式ＩＣ
【化７】
2005508350.tif 000007
［式中、異なる置換基は上に定義した通りである］の誘導体を調製するために、式ＩＩの化合物を、下記の式ＶＩ：
【化８】
2005508350.tif 000008
のヒドラジンと反応させることを特徴とする、請求項３記載の方法。
【請求項７】
アルコキシアミドスぺーサーアームを有する式ＩＤ
【化９】
2005508350.tif 000009
［式中、異なる置換基は上に定義した通りである］の誘導体を調製するために、式ＩＩの化合物を、下記の式ＶＩＩ：
【化１０】
2005508350.tif 000010
［式中、Ｒａ、ＲｂおよびＺは上に定義した通りである］のヒドロキシルアミンと反応させることを特徴とする、請求項３記載の方法。
【請求項８】
式ＩＩの保護されたキノリン誘導体が、式ＶＩＩＩ：
【化１１】
2005508350.tif 000011
のキノリンヒドロキシ酸から得られることを特徴とする、請求項３記載の方法。
【請求項９】
保護基を形成することができる誘導体により−ＣＯＯＨおよび−ＯＨを保護し、これらの保護基は、関係する官能基に対して特異的であり、次いで分子の残部に不利に影響することなく、選択的に切断できることを特徴とする、請求項８記載の方法。
【請求項１０】
医薬として許容される基剤と組み合わされた、請求項１および２のいずれかに記載の少なくとも１つの誘導体の有効量を含むことを特徴とする医薬組成物。
【請求項１１】
請求項１および２のいずれかに記載の少なくとも１つの誘導体の生物学的試薬としての使用。
【手続補正２】
【補正対象書類名】明細書
【補正対象項目名】００２５
【補正方法】変更
【補正の内容】
【００２５】
本発明のさらにもう一つの態様において、アルコキシアミドスぺーサーアームを有する式ＩＤ
【化２０】
2005508350.tif 000012